(57)【要約】【課題】本発明は、マッサージャーを備えた背もたれ分離型椅子に関する。【解決手段】椅子の座板部の後方一側に結合され、上側方向に延設された背もたれ支持台と、背もたれ支持台に回動自在に結合されている第１の支持部材と、背もたれ支持台に回動自在に結合されている第２の支持部材と、下端部が背もたれ支持台に結合されて延長され、背もたれ支持台と並んで配置される第１の背もたれ回動軸と、下端部が背もたれ支持台に結合されて延長され、背もたれ支持台を中心として、第１の背もたれ回動軸と対称に配置される第２の背もたれ回動軸と、第１の背もたれ回動軸に回動自在に結合されている第１の背もたれと、第２の背もたれ回動軸に回動自在に結合されている第２の背もたれと、を含み、第１の支持部材と第１の背もたれの一側外周面が噛み合った状態で、第１の背もたれが回動し、第２の支持部材と第２の背もたれの一側外周面が噛み合った状態で、第２の背もたれが回動することを特徴とする。  本発明によると、脊椎の変形を防止し、矯正することができ、使用者の便宜性を高めるだけでなく、別途の電源供給なしでたまった疲れをすぐにとることができる。【選択図】図１
2013521856.tif 000002
【特許請求の範囲】
【請求項１】
椅子の座板部の後方一側に結合され、上側方向に延設された背もたれ支持台と、
背もたれ支持台に回動自在に結合されている第１の支持部材と、
背もたれ支持台に回動自在に結合されている第２の支持部材と、
下端部が背もたれ支持台に結合されて延長され、背もたれ支持台と並んで配置される第１の背もたれ回動軸と、
下端部が背もたれ支持台に結合されて延長され、背もたれ支持台を中心として、第１の背もたれ回動軸と対称に配置される第２の背もたれ回動軸と、
第１の背もたれ回動軸に回動自在に結合されている第１の背もたれと、
第２の背もたれ回動軸に回動自在に結合されている第２の背もたれと、を含み、
第１の支持部材と第１の背もたれの一側外周面が噛み合った状態で、第１の背もたれが回動し、第２の支持部材と第２の背もたれの一側外周面が噛み合った状態で、第２の背もたれが回動することを特徴とするマッサージャーを備えた背もたれ分離型椅子。
【請求項２】
前記第１の支持部材と第１の背もたれの一側外周面にそれぞれ形成されている互いに噛み合って対応する第１の係止突起が互いに噛み合い、第２の支持部材と第２の背もたれの一側外周面にそれぞれ形成されている互いに噛み合って対応する第２の係止突起が互いに噛み合うことを特徴とする請求項１に記載のマッサージャーを備えた背もたれ分離型椅子。
【請求項３】
前記互いに噛み合って対応する第１の係止突起、及び互いに噛み合って対応する第２の係止突起によって指圧又はマッサージが行われることを特徴とする請求項２に記載のマッサージャーを備えた背もたれ分離型椅子。
【請求項４】
前記互いに噛み合って対応する第１の係止突起、及び互いに噛み合って対応する第２の係止突起は、玉、りん鉱石、黄土塑性体、セラミックス塑性体、トルマリン粉末を含む結晶体、及びキトサン粉末を含む結晶体からなる群のうちのいずれか一つで構成されることを特徴とする請求項２に記載のマッサージャーを備えた背もたれ分離型椅子。
【請求項５】
前記第１の背もたれは、第１の背もたれ回動軸に連結されている第１の弾性手段によって回動した状態で元の位置に復帰され、第２の背もたれは、第２の背もたれ回動軸に連結されている第２の弾性手段によって回動した状態で元の位置に復帰されることを特徴とする請求項１に記載のマッサージャーを備えた背もたれ分離型椅子。
【請求項６】
前記背もたれ回動軸の上側方向に延長された一側にそれぞれ回動自在に結合される互いに噛み合って対応する首マッサージ部材をさらに含み、それぞれの背もたれに連動して回動することを特徴とする請求項１に記載のマッサージャーを備えた背もたれ分離型椅子。
【発明の詳細な説明】
【技術分野】
【０００１】
本発明は、マッサージャーを備えた背もたれ分離型椅子に関するもので、詳しくは、脊椎の変形を防止し、矯正することができ、使用者の便宜性を高めるだけでなく、別途の電源供給なしでたまった疲れをすぐにとることができるマッサージャーを備えた背もたれ分離型椅子に関する。
【背景技術】
【０００２】
一般に、椅子は長い間、人間の必須生活用品として用いられてきた。また、社会が現代化するにつれて、椅子で生活する時間が増加し、これに応じて椅子の種類や形状も、使用目的、用途、及び使用場所等により多様に発展してきた。
最近では、脊椎の変形を防止し、矯正できるように、背もたれが二つに分けられた椅子が提案され、広く用いられているだけでなく、前記背もたれの内側に電動モーターを備え、電動モーターによってマッサージ部材を作動させ、肩をはじめ、脊椎部位をマッサージ又は指圧する椅子などが多様に提供されている。
しかし、従来の脊椎矯正椅子は、背もたれが単純に二つに分けられているだけで、付加的に指圧又はマッサージ機能を具現することができず、さらに、電動マッサージ椅子は、高価な上に別途の電源を必要とするため、場所にこだわらず使用することはできない問題があった。
【発明の概要】
【発明が解決しようとする課題】
【０００３】
上述した問題を解決するために案出された本発明の目的は、脊椎の変形を防止し、矯正することができ、使用者の便宜性を高めるだけでなく、別途の電源供給なしでたまった疲れをすぐにとることができるマッサージャーを備えた背もたれ分離型椅子を提供することにある。
【課題を解決するための手段】
【０００４】
前記目的を達成すべく、本発明のマッサージャーを備えた背もたれ分離型椅子は、椅子の座板部の後方一側に結合され、上側方向に延設された背もたれ支持台と、背もたれ支持台に回動自在に結合されている第１の支持部材と、背もたれ支持台に回動自在に結合されている第２の支持部材と、下端部が背もたれ支持台に結合されて延長される。
背もたれ支持台と並んで配置される第１の背もたれ回動軸と、下端部が背もたれ支持台に結合されて延長され、背もたれ支持台を中心として、第１の背もたれ回動軸と対称に配置される第２の背もたれ回動軸と、第１の背もたれ回動軸に回動自在に結合されている第１の背もたれと、第２の背もたれ回動軸に回動自在に結合されている第２の背もたれと、を含み、第１の支持部材と第１の背もたれの一側外周面が噛み合った状態で、第１の背もたれが回動し、第２の支持部材と第２の背もたれの一側外周面が噛み合った状態で、第２の背もたれが回動することを特徴とする。
【０００５】
前記第１の支持部材と第１の背もたれの一側外周面にそれぞれ形成されている互いに噛み合って対応する第１の係止突起が互いに噛み合い、第２の支持部材と第２の背もたれの一側外周面にそれぞれ形成されている互いに噛み合って対応する第２の係止突起が互いに噛み合うことができる。
前記互いに噛み合って対応する第１の係止突起、及び互いに噛み合って対応する第２の係止突起によって、指圧またはマッサージが行われることができる。
前記互いに噛み合って対応する第１の係止突起、及び互いに噛み合って対応する第２の係止突起は、玉、りん鉱石、黄土塑性体、セラミックス塑性体、トルマリン粉末を含む結晶体、及びキトサン粉末を含む結晶体からなる群のうちのいずれか一つで構成されることができる。
【０００６】
前記第１の背もたれは、第１の背もたれ回動軸に連結されている第１の弾性手段によって回動した状態で元の位置に復帰され、第２の背もたれは、第２の背もたれ回動軸に連結されている第２の弾性手段によって回動した状態で元の位置に復帰されることができる。
前記背もたれ回動軸の上側方向に延長された一側にそれぞれ回動自在に結合される互いに噛み合って対応する首マッサージ部材をさらに含み、それぞれの背もたれに連動して回動することができる。
【０００７】
前記第１の背もたれ及び第２の背もたれは、それぞれ第１の背もたれ回動軸及び第２の背もたれ回動軸上で空気バネによりスライドされることによって高低が調節されることができる。
前記第１の背もたれ及び第２の背もたれは、それぞれ第１の背もたれ回動軸及び第２の背もたれ回動軸上で回動が選択的に拘束されることができる。
前記の椅子の座板部は、第１の座板部及び第２の座板部に両分され、第１の座板回動軸及び第１の座板回動軸上で回動が選択的に拘束されることができる。
椅子、車椅子、ベビーカー、ベッド及び座椅子に適用することができる。
【発明の効果】
【０００８】
以上で説明したように、本発明によると、背もたれを左右にそれぞれ分離することで、脊椎の変形を防止し、矯正することができるマッサージャーを備えた背もたれ分離型椅子を提供することができる。
また、本発明によると、座った状態で、使用者の動きに対応し、それぞれの背もたれが一定角度の範囲で回動することによって、使用者の便宜性を高めることができるマッサージャーを備えた背もたれ分離型椅子を提供することができる。
【０００９】
さらに、別途の電源供給なしで、背もたれの前面に備えられたマッサージャーによって、使用者の背中を指圧と同時にマッサージすることができ、たまった疲れをすぐにとることができるマッサージャーを備えた背もたれ分離型椅子を提供することができる。
【図面の簡単な説明】
【００１０】
【図１】本願発明の一実施例によるマッサージャーを備えた背もたれ分離型椅子において、回動部材を中心に示した概略図である。
【図２】図１に示した背もたれ分離型椅子において、回動部材を中心に拡大して示した結合状態図である。
【図３】図３に示した回動部材の連結関係を示した分離斜視図である。
【図４】図１に示した背もたれ分離型椅子の主要構成要素を部分的に示した平面図である。
【図５】左右の背もたれによって指圧またはマッサージが段階別に行われる作動状態を示した概略図である。
【図６】本願発明のマッサージャーを備えた背もたれ分離型椅子において、首マッサージ部材がさらに構成された実施例を示した斜視図である。
【発明を実施するための形態】
【００１１】
以下、本発明が属する技術分野で通常の知識を有する者が容易に実施できるように、本発明の実施例について添付図面を参照して詳細に説明する。
しかし、本発明は、様々な異なる形で具現することができ、ここで説明する実施例に限定されない。明細書の全体にわたって、類似な部分には、同じ図面符号を付けている。
【００１２】
図１ないし図３を参照して、本発明の一実施例によるマッサージャーを備えた背もたれ分離型椅子１００について説明する。
図１は、本願発明の一実施例によるマッサージャーを備えた背もたれ分離型椅子において、回動部材を中心に示した概略図であり、図２は、図１に示した背もたれ分離型椅子において、回動部材を中心に拡大して示した結合状態図であり、図３は、図３に示した回動部材の接続関係を示した分離斜視図である。
ここで、椅子は、地面上に支持される複数の回転車輪を有する脚部と、脚部の上端部に、使用者の臀部を支持するように水平結合された座板部と、座板部の左右側に備えられて使用者が肘を載せる肘掛け部と、座板部の後方底面に結合されて垂直延設された垂直支持台と、垂直支持台の前方に装着されて使用者の背中部位を支持する背もたれ部と、垂直支持台の上端部に装着されて使用者の首を支持する枕部と、で構成される。
なお、本願の発明は、特に垂直支持台と、垂直支持台の前方に装着されて使用者の背中部位を支持する背もたれ部と、に関するもので、他の構成要素は、当業者において自明な技術であって、詳細な説明を省略する。
【００１３】
本発明の一実施例によるマッサージャーを備えた背もたれ分離型椅子１００は、椅子の座板部Ｓの後方一側に結合される背もたれ支持台１０と、背もたれ支持台１０に対して回動する第１、第２の支持部材２０、３０と、下端部が背もたれ支持台１０に延長結合される第１、第２の背もたれ回動軸４０、５０と、第１、第２の背もたれ回動軸４０、５０を中心として回動する第１、第２の背もたれ６０、７０と、を含んでなる。
【００１４】
より詳しくは、本発明の一実施例によるマッサージャーを備えた背もたれ分離型椅子１００は、椅子の座板部Ｓの後方一側に結合され、上側方向に延設された背もたれ支持台１０と、背もたれ支持台１０に回動自在に結合されている第１の支持部材２０と、背もたれ支持台１０に回動自在に結合されている第２の支持部材３０と、下端部が背もたれ支持台１０に結合されて延長され、背もたれ支持台１０と並んで配置される第１の背もたれ回動軸４０と、下端部が背もたれ支持台１０に結合されて延長される。
背もたれ支持台１０を中心として、第１の背もたれ回動軸４０と対称に配置される第２の背もたれ回動軸５０と、第１の背もたれ回動軸４０に回動自在に結合されている第１の背もたれ６０と、第２の背もたれ回動軸５０に回動自在に結合されている第２の背もたれ７０と、を含み、第１の支持部材２０と第１の背もたれ６０の一側外周面が噛み合った状態で、第１の背もたれ６０が回動し、第２の支持部材３０と第２の背もたれ７０の一側外周面が噛み合った状態で、第２の背もたれ７０が回動することを特徴とする。
【００１５】
この際、背もたれ支持台１０には、多段のピン結合孔１１が形成され、ここに固定ピンＰが嵌合され、第１の支持部材２０と第２の支持部材３０が固定ピンＰの上側から背もたれ支持台１０に嵌合されることで、固定ピンの上に、各支持部材２０、３０が載せられて、回転は可能でありながら下方向に落下しないように構成することができ、固定ピンＰの結合位置を変更して、各支持部材２０、３０の高さを調整することもできる。他にも、各支持部材２０が回転は可能でありながら、調整された高さが維持できる構成であれば、如何なるものも適用することができる。
従って、前記のように構成される本発明によると、背もたれ支持台１０を中心として対称をなして配置されている第１の背もたれ回動軸４０と第２の背もたれ回動軸５０に、第１の背もたれ６０と第２の背もたれ７０が、それぞれ回動自在に結合され、第１の背もたれ６０と第２の背もたれ７０の一側外周面が、それぞれ第１の支持部材２０と第２の支持部材３０に噛み合って回動することによって、互いに噛み合って対応する第１の係止突起２１、６１及び互いに噛み合って対応する第２の係止突起３１、７１が、使用者に対して指圧又はマッサージが行われることに本願発明の技術的な特徴がある。
【００１６】
そして、第１の支持部材２０と第１の背もたれ６０の一側外周面にそれぞれ形成されている互いに噛み合って対応する第１の係止突起２１、６１が互いに噛み合い、第２の支持部材３０と第２の背もたれ７０の一側外周面にそれぞれ形成されている互いに噛み合って対応する第２の係止突起３１、７１が互いに噛み合うことを特徴とする。
従って、前記のように構成される本発明によると、互いに噛み合って対応する第１の係止突起２１、６１、及び互いに噛み合って対応する第２の係止突起３１、７１によって、第１の背もたれ６０と第２の背もたれ７０がそれぞれ第１の支持部材２０と第２の支持部材３０にスリップが発生しない状態で噛み合って回動することによって、回動の動作が正確に行われることができる。
【００１７】
また、お互いに噛み合って対応する第１の係止突起２１、６１、及び互いに噛み合って対応する第２の係止突起３１、７１は、玉、りん鉱石、黄土塑性体、セラミックス素成体、又はトルマリン粉末を含む結晶体及びキトサン粉末を含む結晶体からなる群のうちのいずれか一つで構成されることを特徴とする。
前記のように構成される本発明において、互いに噛み合って対応する第１の係止突起２１、６１、及び互いに噛み合って対応する第２の係止突起３１、７１は、遠赤外線が放射される玉、りん鉱石、黄土塑性体、及びセラミックス塑性体からなる群のうちのいずれか一つが選ばれて構成されることができる。
また、お互いに噛み合って対応する第１の係止突起２１、６１、及び互いに噛み合って対応する第２の係止突起３１、７１は、陰イオンが放射されるトルマリン、キトサン粉末のうちのいずれか一つが含まれている結晶体で構成することができ、他にも人体に有益な様々な天然物や組成物を適用することができる。
【００１８】
なお、第１の背もたれ６０は、第１の背もたれ回動軸４０に連結されている第１の弾性手段（図示しない）によって回動した状態で元の位置に復帰され、第２の背もたれ７０は、第２の背もたれ回動軸５０に連結されている第２の弾性手段（図示しない）によって回動した状態で元の位置に復帰されるように構成することで、指圧又はマッサージ機能を極大化することもできる。
ここで、前記第１の弾性手段または第２の弾性手段は、図示してはいないが、それぞれ第１の背もたれ回動軸４０または第２の背もたれ回動軸５０の外周面を覆いながら、一端部は第１の背もたれ回動軸４０または第２の背もたれ回動軸５０に結合され、他端部は第１の背もたれ回動軸４０が挿入される第１の背もたれ６０の挿入溝（図示しない）の内周面の一側または第２の背もたれ回動軸５０が挿入される第２の背もたれ７０の挿入溝（図示しない）の内周面の一側に結合されるコイルバネから構成することができる。
なお、図４及び図５を参照して、指圧又はマッサージが行われることを段階別に説明する。
【００１９】
図４は、図１に示した背もたれ分離型椅子の主要構成要素を部分的に示した平面図であり、図５は、左右の背もたれによって指圧またはマッサージが段階別に行われる作動状態を示した概略図である。
図４及び図５を参照すると、使用者が椅子１００の座板部Ｓに着席した状態で背中を後ろに反らすと、もたれた背中部位に第１の背もたれ６０、及び第２の背もたれ７０がそれぞれ触れ合い、第１の背もたれ６０と第２の背もたれ７０がそれぞれ第１の支持部材２０と第２の支持部材３０にスリップが発生しない状態で噛み合って回動し、回動角が漸進的に変化する。
この際、前記第１の背もたれ６０と第２の背もたれ７０は、それぞれ最大１８０°の範囲内で回動が可能である。
特に、第１の背もたれ回動軸４０と第２の背もたれ回動軸５０に連結される第１の弾性手段と第２の弾性手段をさらに備えることで、回動していた第１の背もたれ６０と第２の背もたれ７０は、元の位置に復帰されることができる。
【００２０】
以下、指圧又はマッサージが行われる原理について簡略に説明する。
まず、使用者が椅子１００の座板部Ｓに着席した状態で背中を後ろに反らすと、もたれた背中部位に第１の背もたれ６０と第２の背もたれ７０がそれぞれ触れ合い、互いに噛み合って対応する第１の係止突起２１、６１、及び互いに噛み合って対応する第２の係止突起３１、７１が加圧され、使用者の背中部位を全般的に指圧することになる。
この状態で、使用者が姿勢を前後または左右に移動すると、第１の背もたれ６０と第１の支持部材２０、第２の背もたれ７０と第２の支持部材３０も、使用者の身体の屈曲に合わせて、噛み合って回転し、これに応じて互いに噛み合って対応する第１の係止突起２１、６１、及び互いに噛み合って対応する第２の係止突起３１、７１が、使用者の背中部位に沿って左から右へ、または右から左へ移動しながら、最初に加圧され指圧されたところを中心にマッサージをすることになる。
【００２１】
図６を参照して、本願発明のマッサージャーを備えた背もたれ分離型椅子において、首マッサージ部材がさらに構成された実施例について説明する。
図６に示されたように、本願発明のマッサージャーを備えた背もたれ分離型椅子に、外周面の一側に沿って、第３の係止突起９１が備えられた首マッサージ部材９０をさらに構成することができる。
この際、前記の首マッサージ部材９０は、第２の背もたれ回動軸５０の延長線上に回動自在に備えられ、前記第３の係止突起９１が延設される第２の支持部材３０の外周面の一側に沿って備えられた第２の係止突起３１と噛み合って回動することによって、首部分に対するマッサージが行われることができる。
この際、前記の首マッサージ部材９０は、最大１８０°の範囲内で回動が可能である。
【００２２】
図１ないし図６に示された本発明のマッサージャーを備えた背もたれ分離型椅子は、学生用椅子または事務用椅子を中心に説明しているが、脊椎の変形を防止し、矯正することができ、使用者の便宜性を高めるだけでなく、別途の電源供給なしでたまった疲れをすぐにとることができる構成であれば、通常の学生用椅子または事務用椅子に限らず、車椅子、ベビーカー、ベッド及び座椅子など、様々な形態の椅子などに適用することができる。特に第１の背もたれ６０と第２の背もたれ７０及び椅子の座板部Ｓに振動部材及び発熱部材を加えることで、温熱及び振動によって指圧及びマッサージの効果を高めることもできる。
なお、本発明は、上述した好ましい実施例に限定されず、特許請求の範囲において請求する本発明の趣旨から逸脱することなく、当該発明が属する技術分野で通常の知識を有する者であれば誰でも容易に変形実施できることはもちろん、このような変更は、請求項の請求の範囲の記載の範囲内にあることとみなす。
【符号の説明】
【００２３】
１０  背もたれ支持台
１１  ピン結合孔
２０  第１の支持部材
２１、６１  第１の係止突起
３０  第２の支持部材
３１、７１  第２の係止突起
４０  第１の背もたれ回動軸
５０  第２の背もたれ回動軸
６０  第１の背もたれ
７０  第２の背もたれ
９０  首マッサージ部材  
９１  第３の係止突起
Ｎ  枕
Ｐ  固定ピン
Ｓ  椅子の座板部
【図１】
2013521856.tif 000003
【図２】
2013521856.tif 000004
【図３】
2013521856.tif 000005
【図４】
2013521856.tif 000006
【図５】
2013521856.tif 000007
【図６】
2013521856.tif 000008
【国際調査報告】
2013521856.tif 000009
2013521856.tif 000010
2013521856.tif 000011
2013521856.tif 000012